(57)【特許請求の範囲】
【請求項１】
肘支柱で肘当てを支持して成る肘掛けにおける前記肘支柱の下端に設けた基部を他の部材の肘固定部に重ね合わせてねじで締結するようになっている、
という構成において、
前記肘掛けの基部は、上重合部とこれより低い下重合部とを有して正面視階段状の形態になっており、前記下重合部は上重合部を挟んで肘支柱と反対側に位置している一方、
前記肘固定部は、前記肘掛けにおける基部の上重合部と下重合部とが下方から重なるよう正面視で逆階段状になっていると共に、前記肘掛けの上重合部が重なる部分は正面視で左右外側に突出した張り出し部になっており、前記肘掛けにおける基部の上重合部と下重合部とがそれらに下方から挿入したねじで肘固定部に締結されるようになっており、
更に、前記肘掛けの上重合部に、前記肘固定部における張り出し部の上面に重なる係止片が形成されており、前記肘掛けの基部を左右外側から肘固定部に重ね合わせると係止片が肘掛けの張り出し部の上面に重なって肘掛けが落下不能に保持されるようになっている、
椅子。
【請求項２】
脚支柱に固定された支基ベースと、前記支基ベースの左右外側から後方に延びる左右の傾動フレームとを有しており、前記傾動フレームに背もたれが取り付けられていると共に、前記傾動フレームはばねに抗して後傾動するように支持されており、
更に、前記左右傾動フレームには、当該左右傾動フレームに架け渡すように配置されたブリッジ部材が、その左右両端部が支基ベースの左右外側に突出した張り出し部になる状態で固定されており、
かつ、前記ブリッジ部材の張り出し部と傾動フレームには、前記肘掛けの基部が下方から重なる正面視逆階段状のサイドカバーが装着されており、このため傾動フレームとブリッジ部材とサイドカバーとで前記肘固定部が構成されており、そして、前記サイドカバーに肘掛けの基部が重なって両者が傾動フレームとブリッジ部材とにねじで共締めされており、更に、前記サイドカバーに、前記係止片が嵌まる切欠き部を形成している、
請求項１に記載した椅子。
【発明の詳細な説明】
【技術分野】
【０００１】
本発明は、椅子に関するものである。
【背景技術】
【０００２】
例えば事務用に多用される回転椅子においては、オプションによって肘掛けを取付けることができるようになっていることが多い。肘掛けの取り付け手段としては、座を支持する合成樹脂製のシェル部材に固定したり、脚の上端に固定された金属製の支基ベースに固定したりしていることが多い。
【０００３】
いずれにしても、シェル部材や支基ベースの肘固定部に肘掛けの基部（下端部）を下方から重ねて、３〜４本程度のねじ（ボルト、ビス）で締結しているものが殆どである。なお、肘固定部を支基ベースに設けている場合は、ねじがねじ込まれるねじ穴を支基ベースに直接に形成していることが多く、肘固定部がシェル部材にある場合は、シェル部材にナットを埋設したり、シェル部材に補強板を重ねてこれにタップ穴を形成したりしている。
【０００４】
他方、特許文献１及び特許文献２には、シェル部材に肘掛けの基部が横方向からすっぽり嵌る穴を形成し、支基ベースの基部を穴に嵌め入れた状態で固定することが開示されている。
【特許文献１】実開平６−８２９５４号公報
【特許文献２】特開平１０−１２７４１０号公報
【発明の開示】
【発明が解決しようとする課題】
【０００５】
肘掛けは一般にオプションで取り付けられるもので、椅子の本体部は肘掛け付きと肘掛け無しとで同じ構造になっていることが殆どである。そして、肘掛けの基部を肘固定部に重ね合わせる構成にすると、肘固定部はすっきりした形態にできるため、肘掛けを取り付けない状態で美観が悪化することはあまりないという利点がある。
【０００６】
しかし、肘掛けをねじ止めで取付けるにおいて、作業者は、一方の手で肘掛けを掴んで所定の姿勢に保持しつつ、他方の手でドライバーを操作してねじ込み操作せねばならず、最初のねじがねじ込まれるまで肘掛けを片手でずっと持ち上げ続けておかねばならないため、作業者の負担が重いという問題があった。
【０００７】
また、最初のねじをねじ込むにおいては、先ず、一方の手でドライバーを握って先端を上向きにしてその先端にねじの頭を嵌め、その状態を保持しつつ、他方の手で肘掛けを掴んでその基部を椅子の肘固定部に正確に重ね、それからねじを肘掛けの基部に形成された貫通穴に挿入してドライバーを操作するようにしているが、ねじがドライバーの先端から外れてねじ込みに失敗することが頻発しており、このため作業能率が悪いのみならず、作業者はねじが落ちないように気を付けながらの作業を強いられるため、負担が倍加するという問題があった。
【０００８】
また、椅子をひっくり返してテーブルに載せて肘掛けをねじ止めする方法もあるが、これでは作業者の負担が大きいのみならず、椅子をひっくり返してテーブルに載せたときに座面を汚したり傷つけたりする虞もあった。
【０００９】
他方、前記両特許文献によると、肘掛けの基部を肘固定部の穴に差し込むことによって肘掛けは姿勢が保持されるため、作業者の負担を軽減できると共に作業能率も向上することができる。しかし、肘固定部に横向き開口の大きな穴が空いているため、肘掛け無しの状態で販売すると美観が低下し、また、肘固定部の加工も厄介になるという問題がある。
【００１０】
本発明は、このような現状を改善することを課題とするものである。
【課題を解決するための手段】
【００１１】
本願発明に係る椅子は、肘支柱で肘当てを支持して成る肘掛けにおける前記肘支柱の下端に設けた基部を他の部材の肘固定部に重ね合わせてねじで締結するようになっている、という構成であって、前記肘掛けの基部は、上重合部とこれより低い下重合部とを有して正面視階段状の形態になっており、前記下重合部は上重合部を挟んで肘支柱と反対側に位置している。
【００１２】
そして、請求項１では、前記肘固定部は、前記肘掛けにおける基部の上重合部と下重合部とが下方から重なるよう正面視で逆階段状になっていると共に、前記肘掛けの上重合部が重なる部分は正面視で左右外側に突出した張り出し部になっており、前記肘掛けにおける基部の上重合部と下重合部とがそれらに下方から挿入したねじで肘固定部に締結されるようになっており、更に、前記肘掛けの上重合部に、前記肘固定部における張り出し部の上面に重なる係止片が形成されており、前記肘掛けの基部を左右外側から肘固定部に重ね合わせると係止片が肘掛けの張り出し部の上面に重なって肘掛けが落下不能に保持されるようになっている。
【００１３】
請求項２の発明では、請求項１において、脚支柱に固定された支基ベースと、前記支基ベースの左右外側から後方に延びる左右の傾動フレームとを有しており、前記傾動フレームに背もたれが取り付けられていると共に、前記傾動フレームはばねに抗して後傾動するように支持されており、更に、前記左右傾動フレームには、当該左右傾動フレームに架け渡すように配置されたブリッジ部材が、その左右両端部が支基ベースの左右外側に突出した張り出し部になる状態で固定されており。
【００１４】
かつ、前記ブリッジ部材の張り出し部と傾動フレームには、前記肘掛けの基部が下方から重なる正面視逆階段状のサイドカバーが装着されており、このため傾動フレームとブリッジ部材とサイドカバーとで前記肘固定部が構成されており、そして、前記サイドカバーに肘掛けの基部が重なって両者が傾動フレームとブリッジ部材とにねじで共締めされており、更に、前記サイドカバーに、前記係止片が嵌まる切欠き部を形成している。
【発明の効果】
【００１５】
本願発明によると、肘掛けを肘固定部に重ねて締結するものでありながら、肘掛けは手で掴んでおかなくても所定の姿勢に保持されるため、肘掛けの取り付け作業に際して作業者の負担を軽減できると共に、ねじの落下をなくして取り付け作業の能率を向上することができる。
【００１６】
請求項２のように構成すると、肘掛けが傾動フレームに取り付けられていることにより、肘掛けはロッキングに際して背もたれと一緒に傾動するため、ロッキングに際して腕が伸び勝手になることを無くして座り心地を向上できる。
【００１７】
また、請求項２のように構成すると、サイドカバーを一々取り外すことなく肘掛けを取り付けることができるため作業が簡単であり、また、サイドカバーを利用して肘掛けを所定姿勢に保持するものであるため、傾動フレームには特別の加工を施す必要がなくて、それだけ加工の手間を無くすことができる利点がある。更に、サイドカバーはねじで傾動フレームに強固に固定されるため、サイドカバーの取り付け強度が高い利点もある。
【発明を実施するための最良の形態】
【００１８】
次に、本発明の実施形態を図面に基づいて説明する。
【００１９】
(1).椅子の基本構造
図１〜図９は第１実施形態を示している。図１は椅子の側面図であり、この図１に示すように、椅子は、キャスター付きの脚１と、座２と、背もたれ３と、肘掛け４とを備えている。脚１は伸長自在及び回転自在な脚支柱５を備えており、脚支柱５の上端には支基ベース６が固定されている。
【００２０】
座２は、アウターシェル７を介して座受け金具８に取り付けられており、座受け金具８の前端部は支基ベース６の前端部に第１軸９によって後傾動及び後退動自在に取り付けられている。
【００２１】
また、支基ベース６の後部寄り部位には傾動フレーム１０の前端部が第２軸１１によって後傾動可能に連結されており、傾動フレーム１０の後部には背支柱１２を設け、この背支柱１２に背もたれ３を取り付けている。背支柱１２と背もたれ３との間にはランバーサポート１４を高さ調節自在に配置している。
【００２２】
更に、傾動フレーム１０のうち第３軸１３よりも後方の部位と座受け金具８の後部とは第３軸１３によって相対回動可能に連結されている。このため、背もたれ３が後傾動するとこれに連動して座２も一緒に後傾しつつ後退する。
【００２３】
【００２４】
【００２５】
【００２６】
【００２７】
図２は傾動フレーム１０の斜視図である。この図２に示すように、傾動フレーム１０は断面外向き開口コ字状に形成されていて左右に配置されている一方、背支柱１２は若干の間隔を隔てて左右に２本配置されており、両背支柱１２の下部を横向きに曲げてこれを傾動フレーム１０の内部に嵌め込んで溶接にて固着している。
【００２８】
左右の背支柱１２は下部金具１２ａ及び中間金具１２ｂで一体に固定されている。なお、左右の背支柱１２はその上部がアッパーフレーム（図示せず）に溶接されているので、中間金具１２ｂは必ずしも必要ない。第３軸１１は傾動フレーム１０の前端部に溶接によって固着されている。
【００２９】
なお、傾動フレーム１０と背支柱１２とは一体の構造にすることも可能である。また、傾動フレーム１０及び背支柱１２は左右に配置する必要はなく、１本の場合もあり得る。また、背支柱１２を備えずに傾動フレーム１０に背もたれ３を直接的に取付けることも可能である。
【００３０】
図示していないが、支基ベース６には、傾動フレーム１０の後傾動を支持するばねを配置している。また、図示していないが、背支柱１２の下部金具１２ａと支基ベース６との間には、背もたれ３の後傾角度調節及び後傾ロック用のガスシリンダを配置している。
【００３１】
【００３２】
【００３３】
第２軸１１は、左右傾動フレーム１０に架け渡すように配置されたブリッジ部材３０に、左右一対ずつの合成樹脂製リアブッシュ及びリア金具にて連結されている。ブリッジ部材３０は左右の傾動フレーム１０に溶接で固着されている。ブリッジ部材３０には左右張り出し部３０ａを設けている。
【００３４】
(2).肘支柱の固定
次に、肘掛け４の取り付け手段を説明する。図３は肘掛け４の斜視図であり、この図３に示すように、肘掛け４は丸パイプ製の肘支柱３５を備えており、肘支柱３５に昇降体３６を高さ調節自在に取り付け、この昇降体３６に肘当て３７を水平旋回自在に取り付けている。昇降体３６はロック解除用のレバー３８を備えており、昇降体３６を手で握ってレバー３８を引くことにより、ロックが解除される。なお、肘当て３７は可動式には限らず、固定式であっても良いことは言うまでもない。
【００３５】
肘支柱３５は、前記ブリッジ部材３０の張り出し部３０ａに固定されている。この点を図４〜図９を参照して説明する。図４のうち（Ａ）は椅子の後部の背面図、（Ｂ）は（Ａ）の右側面図、図５は肘掛け４を取り付けた状態での平断面図、図６は側面図、図７は図５の VII-VII視断面図、図８は図５の VIII-VIII視断面図、図９は肘掛けの取り付け手順を示す断面図である。
【００３６】
肘支柱３５の下部は水平状部３５ａになっており、この水平状部３５ａの先端に、肘掛け４の基部（取り付け部）を構成する金属板製の連結金具４０が溶接にて固着されている。連結金具４０は、上重合部４０ａと下重合部４０ｂとこれらを繋ぐ縦長部とを備えて正面視階段状に形成されている。肘支柱３５の水平状部３５ａはその端面を連結金具４０の縦長部に突き合わせており、端面と上部とを連結金具４０に溶接している。このように水平状部３５ａが端面と上部とに連結金具４０に溶接されているため、互いの取り付け強度を格段に向上することができる。
【００３７】
傾動フレーム１０とブリッジ部材３０の張り出し部３０ａとには、これらを覆うため左右外側からの嵌め込みにてサイドカバー３９が嵌合しており、連結金具４０はサイドカバー３９に下方から重なっている。かつ、下方からねじ込まれた３本のねじ４１で連結金具４０とサイドカバー３９とが傾動フレーム１０及びブリッジ部材３０に固定されている。ブリッジ部材３０及び傾動フレーム１０には、ねじ４１がねじ込まれる雌ねじ部４２をバーリング加工によって形成している。勿論、ナットを溶接するなどしても良い。
【００３８】
連結金具４０の上面には、係合手段の一例として、ブリッジ部材３０の張り出し部３０ａに重なる係止片４３を折曲げ（溶接でもよい）によって設ける一方、サイドカバー３９のうちブリッジ部材３０を覆う部分３９ｂには、係止片４３が嵌まり込む切欠き部（逃がし穴）４４を形成している。係止片４３は下重合部４０ｂの側に向けて突出している。
【００３９】
このため、図９（Ａ）に示すように、係止片４３を切欠き部４４の箇所でブリッジ部材３０の張り出し部３０ａに重ねることにより、肘掛け４は一々手で掴んでいなくても所定の取り付け姿勢に保持される。このため、作業者は両手が自由になり、その結果、肘掛け４の取り付け作業を能率良く行うことができる。なお、係止片４３は必ずしもブリッジ部材３０の上面に重ねる必要はなく、サイドカバー３９に係止片４３が嵌まる係合穴を形成することも可能である。
【００４０】
例えば図４，７に示すように、サイドカバー３９の側面には、連結金具４０を前後から覆うようにサイドリブ３９ａを設けている。このため、肘掛け４の前後位置を正確に位置決めすることができて好適である。
【００４１】
また、本実施形態のようにブリッジ部材３０も利用して肘掛け４を固定すると、連結金具４０の上下高さを高くして締結強度を向上できる利点がある。つまり、ブリッジ部材３０に対しても締結すると、傾動フレーム１０だけに締結した場合に比べて連結金具４０の上下長さが長くなるため、着座した人が肘掛け４に力を掛けた場合に連結金具４０に作用するモーメントを小さくすることができ、それだけ締結強度が高くなるのである。
【００４２】
図４や図５に示すように、ブリッジ部材３０の後方にはリアカバー４５が配置されている。リアカバー４５は、傾動フレーム１０のうちサイドカバー３９よりも後方の部分を覆うと共に、左右の傾動フレーム１０で囲われた空間も覆っている。
【００４３】
(3).第２実施形態（図１０）
図１０に示すのは第２実施形態であり、この実施形態では、連結金具４０をアルミ等のダイキャスト品としてブロック状に形成しており、これに形成したボス部４０ｃに肘支柱３０の水平状部（基端部）３５ａを嵌め込んで、図示しないねじで固定している。この場合、肘支柱は小判形のような非円形の断面形状にするのが好ましい。
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【図面の簡単な説明】
【００６３】
【図１】第１実施形態に係る椅子の側面図である。
【図２】傾動フレームの斜視図である。
【図３】肘掛けの斜視図である。
【図４】傾動フレームとサイドカバーとの分離平面図である。
【図５】肘掛けを取り付けた状態での平断面図である。
【図６】要部の側面図である。
【図７】図５ VII-VII視断面図である。
【図８】図５の VIII-VIII視断面図である。
【図９】肘掛けの取り付け手順を示す断面図である。
【図１０】第２実施形態を示す図である。
【符号の説明】
【００６４】
２  座体
３  背もたれ
４  肘掛け
１０  傾動フレーム
３０  ブリッジ部材
３０ａ  ブリッジ部材の張り出し部
３５  肘支柱
３７  肘当て
３９  サイドカバー
４０  肘掛けの基部を構成する連結金具
４０ａ  上重合部
４０ｂ  下重合部
４１  締結用のねじ
４２  雌ねじ部
４３  係止片
４４  切欠き部
【図１】
0004180494.tif 000002
【図２】
0004180494.tif 000003
【図３】
0004180494.tif 000004
【図４】
0004180494.tif 000005
【図５】
0004180494.tif 000006
【図６】
0004180494.tif 000007
【図７】
0004180494.tif 000008
【図８】
0004180494.tif 000009
【図９】
0004180494.tif 000010
【図１０】
0004180494.tif 000011